(57)【要約】【課題】各種建築物の外装材として使用すれば、屋外からの水滴の浸入を少なくする防雨性が高められると共に、通気、採光、視界遮蔽性の向上等の多目的が達成され、かつ汎用性のある縦型ルーバー装置を提供する。【解決手段】縦型ルーバー装置Ｌ１は、上横枠材１、下横枠材２、左縦枠材３及び右縦枠材４からなるフレームＦと、該フレームＦ内に取り付けられる、第１羽根板Ｈ１及び第２羽根板Ｈ２からなる複数のルーバーＲ１〜Ｒ２０とから構成され、隣接するルーバーＲ１〜ルーバーＲ２０間にはそれぞれ空気流通部Ｋ１〜Ｋ１９が形成され、第１羽根板Ｈ１と第２羽根板Ｈ２の一端は連結されて、横断面視Ｖ字状山形をなしている。【選択図】  図１
2009264078.tif 000002
【特許請求の範囲】
【請求項１】
建築物の換気口に取り付けられる縦型ルーバー装置において、
上下の横枠材と左右の縦枠材からなるフレームと、
該フレーム内に取り付けられ、第１羽根板及び第２羽根板からなる複数のルーバーとから構成され、隣接する前記ルーバーとルーバー間には空気流通部が形成される縦型ルーバー装置であって、
前記第１羽根板と第２羽根板の一端は連結されて、横断面視Ｖ字状山形をなし、
前記複数のルーバーを構成する第１羽根板と第２羽根板の各連結部は、同一直線上に配設されていることを特徴とする、縦型ルーバー装置。
【請求項２】
前記第１羽根板と第２羽根板の内面又は外面のいずれかには、複数の鈎状突起が等間隔に形成されると共に、該鈎状突起は、第１羽根板と第２羽根板における相互の異なる面に形成されていることを特徴とする、請求項１に記載の縦型ルーバー装置。
【請求項３】
前記第１羽根板と第２羽根板とによって形成されるＶ字状山形の内面角度は、約６０°〜９０°であることを特徴とする、請求項１〜２の何れかに記載の縦型ルーバー装置。
【請求項４】
前記上下の横枠材と左右の縦枠材からなるフレーム、第１羽根板と第２羽根板からなる複数のルーバー及び空気流通部から形成される開口率が、約３５％〜５５％であることを特徴とする、請求項１〜３の何れかに記載の縦型ルーバー装置。
【請求項５】
前記第１羽根板と第２羽根板の連結部には枢支ピンが軸支されると共に、前記第１羽根板と第２羽根板は、開閉駆動手段によって開閉可能となっていることを特徴とする、請求項１項１〜４の何れかに記載の縦型ルーバー装置。
【請求項６】
前記開閉駆動手段が手動ハンドル又は電動モータであることを特徴とする、請求項１〜５の何れかに記載の縦型ルーバー装置。
【請求項７】
前記第１羽根板と第２羽根板及び鈎状突起の素材は、硬質合成樹脂材、アルミ合金材又は鉄材であることを特徴とする、請求項１〜６の何れかに記載の縦型ルーバー装置。
【請求項８】
前記第１羽根板と第２羽根板及び鈎状突起が透明材、半透明材又は不透明材であることを特徴とする、請求項１〜７の何れかに記載の縦型ルーバー装置。
【発明の詳細な説明】
【技術分野】
【０００１】
本発明は、換気口等に取り付けられる雨仕舞等が良好な縦型ルーバー装置に関し、より詳しくは、各種建築物の外装材として使用すれば、水滴の浸入を少なくする防雨性を高めると共に、通気、採光、視界遮蔽性を向上させる、汎用性のある縦型ルーバー装置に関するものである。
【背景技術】
【０００２】
従来より、各種建築物の外装材における水滴の浸入を防ぐ防雨対策、通気、採光又はプライバシーを守るための視界遮蔽性の確保等を目的としたルーバー又は、がらり戸等に関し種々の提案がなされている。
一般的には、図７（ａ）及び（ｂ）に示すような、横型のルーバー構造ないしがらり戸等（以下、ルーバー１００という）が多用されている。ルーバー１００は、上下枠材１０１、１０２と左右側枠材１０３、１０４に取り付けられた複数の羽根板１１１、１１２、１１３、１１４〜１１８が水平状に並設されている。
羽根板１１１〜１１８は、同角度の傾斜面となっているので、例えば、屋外からの風Ｗ１００は、羽根板１１１と１１２の空間Ｋ１２１を流通し、風Ｗ２００は、羽根板１１２と１１３の空間Ｋ１２２を流通する。
しかしながら、このルーバー１００にはなんらの防雨対策がとられていないので、降雨時には図示するように、水滴Ｒ１３１及びＲ１３２は、羽根板１１４の傾斜面に反射して屋内に舞い込むという不具合が生じている。
【０００３】
玄関ドア等の一部にルーバーを設けた戸構成材の組合せについて、例えば特開平９−１９５６３６（特許文献１）に開示されている。
この先行技術におけるルーバーは、上下框間に羽根材が傾斜して設けられている断面構造を有し、ドアの下方の一部に形成されている。
この構造を有するルーバーは、空気流を形成し、上記特許文献１に図示される部位（下方）に形成される場合は室外から室内が見えることはないと思われるが、例えば、ドアの上下框間に上下方向全域に亘って設けられる場合は、視線の方向又は角度によっては室内が見えることとなり、必ずしも十分に遮蔽機能を果たし得ないという問題点がある。
【０００４】
上記遮蔽機能を、好適とするために、実用新案登録２５６２１５３（特許文献２）の「換気ガラリ」が提案されている。特許文献２は、上下の框間に設ける羽根材の断面形状を山形に構成したことを特徴とし、このルーバー構造を採用すれば、空気流が形成されるとともに外部からの視線が入らない遮蔽機能も確保できる。
しかしながら、羽根材の形状が平板状のものに較べて複雑となるところから、製作に手間を要するのみならずコスト高となるという問題点がある。
【０００５】
特許文献１及び特許文献２の問題点を解消するために、特開２００３−２７８５７の「ドア、引戸のルーバー構造」（特許文献３）が提案されている。
特許文献３は、羽根材として平板状のものを用いることができ、しかも空気流の形成ができるとともに、ドア、引戸の高さ方向における何れの部位に設けてもまた、１種類の戸体を表裏に使い分けて左右兼用化する場合にも遮蔽機能を確保できるドア、引戸のルーバー構造の提供を目的とし、その解決手段として、ドア、引戸の上下框間の一部または全部に形成されるルーバー構造であって、左右縦框または縦枠材に、ドア、引戸の面に垂直な縦断面において、空気流の形成が可能かつ視線を遮蔽するように、平板状の羽根材が上下方向に所定間隔を置いて交互に逆傾斜面を有するように固設されていることを特徴としている。
しかしながら、特許文献３は、確かに特許文献１及び特許文献２の問題点、特に遮蔽機能及び製作コスト等についての問題点は解消することはできたとしても、防雨対策が全く考慮されていないために、例えば、玄関ドア又は外装材としての引き戸等には採用されないという不具合がある。
【０００６】
【特許文献１】特開平９−１９５６３６号公報
【特許文献２】実用新案登録第２５６２１５３公報
【特許文献３】特開２００３−２７８５７号公報
【発明の開示】
【発明が解決しようとする課題】
【０００７】
本発明が解決しようとする課題は、各種建築物の外装材として使用すれば、屋外からの水滴の浸入を少なくする防雨性が高められると共に、通気、採光、視界遮蔽性の向上等の多目的が達成され、かつ汎用性のある縦型ルーバー装置を提供することにある。
【課題を解決するための手段】
【０００８】
本発明者は、上記の従来技術が有する各種の問題点に鑑み、鋭意検討を重ねて本発明を完成させたものであり、特に、風は各ルーバー間に形成された空気流通部を曲線状に流通するが、水滴は慣性にしたがって直線状に進行するという、当業界においては想到されていなかった性質に着目し、本願発明を完成したものである。
課題を解決するための手段は、本願発明における特許請求の範囲の各請求項に記載の発明であり、その具体的な解決手段は、以下の通りである。
【０００９】
○第１の発明（請求項１に記載の発明）
上記の課題を解決するための第１の発明は、
「建築物の換気口に取り付けられる縦型ルーバー装置において、
上下の横枠材と左右の縦枠材からなるフレームと、
該フレーム内に取り付けられ、第１羽根板及び第２羽根板からなる複数のルーバーとから構成され、隣接する前記ルーバーとルーバー間には空気流通部が形成される縦型ルーバー装置であって、
前記第１羽根板と第２羽根板の一端は連結されて、横断面視Ｖ字状山形をなし、
前記複数のルーバーを構成する第１羽根板と第２羽根板の各連結部は、同一直線上に配設されている」ことを特徴としている。
【００１０】
○第２の発明（請求項２に記載の発明）
上記の課題を解決するための第２の発明は、
「請求項１に記載の縦型ルーバー装置にあって、前記第１羽根板と第２羽根板の内面又は外面のいずれかには、複数の鈎状突起が等間隔に形成されると共に、該鈎状突起は、第１羽根板と第２羽根板における相互の異なる面に形成されている」ことを特徴としている。
【００１１】
○第３の発明（請求項３に記載の発明）
上記の課題を解決するための第３の発明は、
「請求項１項１〜２の何れかに記載の縦型ルーバー装置にあって、
前記第１羽根板と第２羽根板とによって形成されるＶ字状山形の内面角度は、約６０°〜９０°である」ことを特徴としている。
【００１２】
○第４の発明（請求項４に記載の発明）
上記の課題を解決するための第４の発明は、
「請求項１項１〜３の何れかに記載の縦型ルーバー装置にあって、
前記上下の横枠材と左右の縦枠材からなるフレーム、第１羽根板と第２羽根板からなる複数のルーバー及び空気流通部から形成される開口率が、約３５％〜５５％である」ことを特徴としている。
【００１３】
○第５の発明（請求項５に記載の発明）
上記の課題を解決するための第５の発明は、
「請求項１項１〜４の何れかに記載の縦型ルーバー装置にあって、
前記第１羽根板と第２羽根板の連結部には枢支ピンが軸支されると共に、前記第１羽根板と第２羽根板は、開閉駆動手段によって開閉可能となっている」ことを特徴としている。
【００１４】
○第６の発明（請求項６に記載の発明）
上記の課題を解決するための第６の発明は、
「請求項１項１〜５の何れかに記載の縦型ルーバー装置にあって、
前記開閉駆動手段が手動ハンドル又は電動モータである」ことを特徴としている。
【００１５】
○第７の発明（請求項７に記載の発明）
上記の課題を解決するための第７の発明は、
「請求項１項１〜６の何れかに記載の縦型ルーバー装置にあって、
前記第１羽根板と第２羽根板及び鈎状突起の素材は、硬質合成樹脂材、アルミ合金材又は鉄材である」ことを特徴としている。
【００１６】
○第８の発明（請求項８に記載の発明）
上記の課題を解決するための第８の発明は、
「請求項１項１〜７の何れかに記載の縦型ルーバー装置にあって、
前記第１羽根板と第２羽根板及び鈎状突起が透明材、半透明材又は不透明材である」ことを特徴としている。
【発明の効果】
【００１７】
本発明に係る、縦型ルーバー装置は、上記のような特徴的構成要件から構成され、特徴的構成要件に応じた、以下のような本願発明特有の効果を奏する。
また、上記のような特徴的構成要件から構成された、縦型ルーバー装置によれば、本願発明の課題を解決することができた。
○第１の発明の効果
第１の発明によれば、
「建築物の換気口に取り付けられる縦型ルーバー装置において、
上下の横枠材と左右の縦枠材からなるフレームと、
該フレーム内に取り付けられ、第１羽根板及び第２羽根板からなる複数のルーバーとから構成され、隣接する前記ルーバーとルーバー間には空気流通部が形成される縦型ルーバー装置であって、
前記第１羽根板と第２羽根板の一端は連結されて、横断面視Ｖ字状山形をなし、
前記複数のルーバーを構成する第１羽根板と第２羽根板の各連結部は、同一直線上に配設されている」という、当業界では想到されなかった特徴的な構成により、
各種建築物の外装材として使用すれば、屋外からの水滴の浸入を少なくする防雨性が高められると共に、通気、採光、視界遮蔽性の向上等の多目的が達成され、かつ汎用性のある縦型ルーバー装置の提供という、本願発明の課題を解決することができた。
即ち、例えば住宅、店舗、事務所、電気室、塗料倉庫、飼料倉庫等の換気を必要とする諸施設における外装材に、本願発明の縦型ルーバー装置を用いれば、単に防雨性を高める又は採光性を良くするのみならず、通気性及び視界遮蔽性等を複合的に向上させることができた。
【００１８】
第２の発明によれば、
「請求項１に記載の縦型ルーバー装置にあって、
前記第１羽根板と第２羽根板の内面又は外面のいずれかには、複数の鈎状突起が等間隔に形成されると共に、該鈎状突起は、第１羽根板と第２羽根板における相互の異なる面に形成されている」という、当業界では想到されなかった特徴的な構成により、
風は、各ルーバー間に形成された空気流通部をなんらの支障もなく曲線状に流通し、水滴は、慣性にしたがって直線状に進行する性質を利用し、また風の力によって、第１羽根板と第２羽根板の内面又は外面あるいは鈎状突起等に反射した水滴を鈎状突起に形成された開口部に収集し、重力により縦型ルーバー装置外に円滑に排水することができる。
【００１９】
第３の発明によれば、
「請求項１〜２の何れかに記載の縦型ルーバー装置にあって、
前記第１羽根板と第２羽根板とによって形成されるＶ字状山形の内面角度は、約６０°〜９０°である」という、当業界では想到されなかった特徴的な構成により、
第２の発明の効果と同様に、風は、各ルーバー間に形成された空気流通部をなんらの支障もなく曲線状に流通することができるので、通気性は十分に確保できる。
【００２０】
第４の発明によれば、
「請求項１〜３の何れかに記載の縦型ルーバー装置にあって、
前記上下の横枠材と左右の縦枠材からなるフレーム、第１羽根板と第２羽根板からなる複数のルーバー及び空気流通部から形成される開口率が、約３５％〜５５％である」という、当業界では想到されなかった特徴的な構成により、
採光上なんらの問題もなく、開口率は、本願縦型ルーバー装置を取り付ける対象となる建築物、例えば電気室、塗料倉庫、飼料倉庫等のように比較的に明るい採光を必要としない建築物では、その開口率を約３５％〜４０％に設定することができ、また、例えば住宅、店舗、事務所等明るい採光が要求される建築物にあっては、約４５％〜５５％の開口率に設定することができる。
【００２１】
第５及び第６の発明によれば、
「請求項１〜４の何れかに記載の縦型ルーバー装置にあって、
前記第１羽根板と第２羽根板の連結部には枢支ピンが軸支されると共に、該枢支ピンは開閉駆動手段によって開閉可能となっている」という、当業界では想到されなかった特徴的な構成により、
また、「請求項１〜５の何れかに記載の縦型ルーバー装置にあって、
前記開閉駆動手段が手動ハンドル又は電動モータである」という、当業界では想到されなかった特徴的な構成により、
防犯上又は暴風対策面等での視界遮蔽機能と各ルーバーの閉塞作業を簡便に行うことができる。
【００２２】
第７の発明によれば、
「請求項１〜６の何れかに記載の縦型ルーバー装置にあって、
前記第１羽根板と第２羽根板及び鈎状突起の素材は、硬質合成樹脂材、アルミ合金材又は鉄材である」という、当業界では想到されなかった特徴的な構成により、
本願発明の縦型ルーバー装置における基本部材である、第１羽根板と第２羽根板及び鈎状突起は、公知技術による一体成型方等で大量生産することができるので、製作コストを廉価とすることができる。
【００２３】
第８の発明によれば、
「請求項１〜７の何れかに記載の縦型ルーバー装置にあって、
前記第１羽根板と第２羽根板及び鈎状突起が透明材、半透明材又は不透明材である」という、当業界では想到されなかった特徴的な構成により、
例えば、第１羽根板と第２羽根板及び鈎状突起を透明材又は半透明材を使用すれば、採光度を高めることができる。
【００２４】
［用語の説明］
以下、本願特許請求の範囲、本願明細書において用いる用語の解釈上の疑義を解消するべく、用語の定義又は説明をすることとする。
○建築物とは、例えば住宅、店舗、事務所、電気室、塗料倉庫、飼料倉庫等を含む換気を必要とする諸施設をいう。
○外装材とは、上記の建築物を外装する部材、例えば屋根、壁、窓、ベランダないしバルコニー又は玄関ドア等をいう。
○第１羽根板とは、屋外又は室外に面する側に設置される羽根板をいう。
○第２羽根板とは、屋内又は室内に面する側に設置される羽根板をいう。
○鈎状突起とは、略Ｌ字形をなすフックであり、第１羽根板及び第２羽根板に一体的に形成され、その開口部は小溝となり、第１羽根板及び第２羽根板に反射した水滴等を収集し、風の力と重力により縦型ルーバー装置外に排水する機能を有する。
○内面とは、第１羽根板と第２羽根板とによって形成されるＶ字状山形の内面角が形成される面をいう。
○外面とは、内面角が形成される第１羽根板と第２羽根板の反対面をいう。
○開口率とは、縦型ルーバー装置における全体の面に対する空気流通部分面の割合をいう。
○開閉駆動手段とは、ルーバーを構成する第１羽根板と第２羽根板を、必要に応じて随時開閉するための駆動源である手動ハンドル又は電動モータと、各ルーバーの枢支ピンを一体的、かつ同期して回動させる回動部材、例えばピアノ線等の牽引用索条又は作動板等から構成される。
＊＊＊＊＊＊＊＊＊＊＊＊＊＊＊＊＊＊＊＊＊＊＊＊＊＊＊＊＊＊＊＊＊＊＊＊＊＊＊
【発明を実施するための最良の形態】
【００２５】
以下、本発明に係る、縦型ルーバー装置に関する最良の実施形態について、添付の図面を参照しながら詳細に説明する。
図１は、本発明の縦型ルーバー装置を、住宅の垂直外壁に取り付けた状態の正面図、図２（ａ）は、図１における２−２線拡大断面図、図２（ｂ）は、鈎状突起を省略した縦型ルーバー装置の一部省略斜視図、図３は、図２（ａ）におけるＡ部拡大断面図、図４は、本発明に係る、縦型ルーバー装置を住宅の傾斜屋根に取り付けた状態の正面図、図５は、図４における５−５線拡大断面図、図６は、図５におけるＢ部拡大断面図、図７（ａ）は、横型ルーバー構造の従来例を示す側断面図、図７（ｂ）は、同斜視図である。
【００２６】
図１は、本発明の縦型ルーバー装置を、住宅の垂直外壁に取り付けた状態を示し、縦型ルーバー装置Ｌ１は、上横枠材１、下横枠材２、左縦枠材３及び右縦枠材４からなるフレームＦと、該フレームＦ内に取り付けられる、第１羽根板Ｈ１及び第２羽根板Ｈ２からなる複数のルーバーＲ１〜Ｒ２０とから構成されている。
図２に示すように、隣接するルーバーＲ１〜ルーバーＲ２０間にはそれぞれ空気流通部Ｋ１〜Ｋ１９が形成されている。
【００２７】
図２（ａ）、図２（ｂ）及び図３他に図示するように、第１羽根板Ｈ１と第２羽根板Ｈ２の一端は連結されて、横断面視Ｖ字状山形をなしている。各ルーバーＲ１〜Ｒ２０を構成する第１羽根板Ｈ１と第２羽根板Ｈ２の各連結部Ｃは、同一直線上に配設されている。なお各連結部Ｃは、固定式又は可動式のいずれかに設定することが可能であり、可動式についての実施形態は後述する。
図３で示すように、第１羽根板Ｈ１と第２羽根板Ｈ２の内面ａ又は外面ｂのいずれかには、複数の鈎状突起Ｔが等間隔に形成されると共に、該鈎状突起Ｔは、第１羽根板Ｈ１と第２羽根板Ｈ２における相互の異なる面に形成されている。
また、図３におけるθは、第１羽根板Ｈ１と第２羽根板Ｈ２とによって形成されるＶ字状山形の内面角度である。その角度は、約６０°であり、屋外からの風Ｗ１〜Ｗ３は、各ルーバーＲ１２〜Ｒ１５間に形成された空気流通部Ｋ１２〜Ｋ１４（図２（ａ）参照）をなんらの支障もなく曲線状に流通することができるので、通気性は十分に確保することができる。
また、図２（ａ）に示すように、ルーバーＲ９とルーバーＲ１０に形成された空気流通部Ｋ９に浸入した水滴ＲＮ１及びＲＮ２は、ルーバーＲ９の外面ｂに反射し、ルーバーＲ１０に形成された複数の鈎状突起Ｔ内に収集されて落下し、縦型ルーバー装置Ｌ１の外部に流出し、水滴が屋内に侵入することを防止できる。
【００２８】
図１に示すフレームＦ内に配設された全体ルーバーの横巾寸法Ｘを１０００ｍｍとし、図３に示すように空気流通部Ｋ４の巾寸法Ｙが２０ｍｍのとき、空気流通部Ｋ１〜Ｋ１９が形成されている数１９個から形成される開口率ＯＰは、下記の式で算出される。
図１〜図３に示す実施態様における縦型ルーバー装置Ｌ１の開口率は、３８％となり、通気、採光、防水及び視界遮蔽機能全てにおいて満足できるものである。
開口率の算出式  ＯＰ＝Ｙ×１９（空気流通部の数）÷Ｘ  となり、これにより
０．３８＝２０×１９÷１０００  となる。
【００２９】
前述した第１羽根板Ｈ１と第２羽根板Ｈ２の各連結部Ｃに代えて、枢支ピンＰを装着することができる。枢支ピンＰは、第１羽根板Ｈ１と第２羽根板Ｈ２が開閉するように装着され、各枢支ピンＰの頂部又は下端部には、図２〜図３に示すように、例えばピアノ線ＰＡ等の牽引用索条が掛止され、その端部には開閉駆動源である手動ハンドルＨＡが取り付けられ、各ルーバーＲ１〜Ｒ２０を必要に応じて随時開閉できるようになっている。
【００３０】
ルーバーＲ１〜ルーバーＲ２０を構成する第１羽根板Ｈ１と第２羽根板Ｈ２及び鈎状突起Ｔの素材は、硬質合成樹脂材、アルミ合金材又は鉄材のなかから選択され、硬質合成樹脂材であれば、公知技術の成型法である射出成型又は押出成型等によって製作され、またアルミ合金材又は鉄材であれば、公知技術の鋳造法又はプレス成型法等により、一体的に大量生産され、製作コストを廉価とすることができる。
【００３１】
また、第１羽根板Ｈ１と第２羽根板Ｈ２及び鈎状突起Ｔの素材は、透明材、半透明材又は不透明材のなかから選択され、例えばポリプロピレン等の透明合成樹脂材又は半透明材を選択すれば、採光度を向上させることができる。
【００３２】
図４〜図６は、本発明に係る、縦型ルーバー装置Ｌ２を住宅の急傾斜屋根に取り付けた状態を示し、縦型ルーバー装置Ｌ２は、上横枠材１、下横枠材２、左縦枠材３及び右縦枠材４からなるフレームＦと、該フレームＦ内に取り付けられる、第１羽根板Ｈ２１及び第２羽根板Ｈ２２からなる複数のルーバーＲ２１〜Ｒ３８とから構成されている。図５に示すように、隣接するルーバーＲ２１〜ルーバーＲ３７間にはそれぞれ空気流通部Ｋ２１〜Ｋ３７が形成されている。
【００３３】
図５及び図６に図示するように、第１羽根板Ｈ２１と第２羽根板Ｈ２２の一端は連結されて、横断面視Ｖ字状山形をなしている。各ルーバーＲ２１〜Ｒ３８を構成する第１羽根板Ｈ２１と第２羽根板Ｈ２２の各連結部Ｃは、同一直線上に配設されている。なお各連結部Ｃは、固定式又は可動式のいずれかに設定することが可能であり、可動式についての実施形態は後述する。
図６で示すように、第１羽根板Ｈ２１と第２羽根板Ｈ２２の内面ａ又は外面ｂのいずれかには、複数の鈎状突起Ｔが等間隔に形成されると共に、該鈎状突起Ｔは、第１羽根板Ｈ２１と第２羽根板Ｈ２２における相互の異なる面に形成されている。
また、図６におけるθ１は、第１羽根板Ｈ２１と第２羽根板Ｈ２２とによって形成されるＶ字状山形の内面角度であり、その角度θ１は、約９０°である。屋外からの風Ｗ１及びＷ２は、各ルーバーＲ３６〜Ｒ３８間に形成された空気流通部Ｋ３６〜Ｋ３７（図６参照）をなんらの支障もなく曲線状に流通することができるので、通気性は十分に確保できる。
また、風Ｗ１と共に空気流通部Ｋ３６内に直線的に浸入した水滴ＲＮは、ルーバーＲ３７の第１羽根板Ｈ２１とルーバーＲ３６の第２羽根板Ｈ２２に形成された複数の鈎状突起Ｔに収集されて落下し、縦型ルーバー装置Ｌ２の外部に流出し、水滴が屋内に侵入することを防止できる。
【００３４】
図４に示すフレームＦ内に配設された全ルーバーの横巾寸法Ｘ１を１０００ｍｍとし、図６に示すように空気流通部Ｋ３７の巾寸法Ｙを３４ｍｍとすれば、空気流通部Ｋ２１〜Ｋ３７の数値１７から形成される開口率ＯＰは以下の式で算出され、図４〜図６に示す実施態様における縦型ルーバー装置Ｌ１の開口率は、５１．８％となり、通気性、採光度、防水及び視界遮蔽機能性全てにおいて満足できるものである。
開口率の算出式  ＯＰ＝Ｙ１×１７（空気流通部数）÷Ｘ１  となり、これにより
０．５１８＝３４×１７÷１０００  となる。
【００３５】
前述した第１羽根板Ｈ２１と第２羽根板Ｈ２２の各連結部Ｃに代えて、枢支ピンＰを装着することができる。枢支ピンＰは、第１羽根板Ｈ２１と第２羽根板Ｈ２２が開閉するように装着され、各枢支ピンＰの頂部又は下端部には、図５〜図６に示すように、例えばピアノ線ＰＡ等の牽引用索条が掛止され、その端部には開閉駆動源である手動ハンドルＨＡが取り付けられ、各ルーバーＲ２１〜Ｒ３８を必要に応じて随時開閉できるようになっている。
【図面の簡単な説明】
【００３６】
【図１】は、本発明の縦型ルーバー装置を、住宅の垂直外壁に縦型に取り付けた状態の正面図である。
【図２】（ａ）は、図１における２−２線拡大断面図、（ｂ）は、鈎状突起を省略した縦型ルーバー装置の一部省略斜視図である。
【図３】は、図２（ａ）におけるＡ部拡大断面図である。
【図４】は、本発明に係る、縦型ルーバー装置を住宅の急傾斜屋根に取り付けた状態の正面図である。
【図５】は、図４における５−５線拡大断面図である。
【図６】は、図５におけるＢ部拡大断面図である。
【図７】（ａ）は、従来例を示す側断面図、（ｂ）は、同斜視図である。
【符号の説明】
【００３７】
Ｌ１                  縦型ルーバー装置
Ｆ                    フレーム
１                    上横枠材
２                    下横枠材
３                    左縦枠材
４                    右縦枠材
Ｈ１                  第１羽根板
Ｈ２                  第２羽根板
Ｒ１〜Ｒ２０          ルーバー
Ｋ１〜Ｋ１９          空気流通部
Ｃ                    連結部
ａ                    内面
ｂ                    外面
Ｔ                    鈎状突起
θ                    内面角度
ＯＰ                  開口率
Ｐ                    枢支ピン
ＰＡ                  ピアノ線
ＨＡ                  手動ハンドル
【図１】
2009264078.tif 000003
【図２】
2009264078.tif 000004
【図３】
2009264078.tif 000005
【図４】
2009264078.tif 000006
【図５】
2009264078.tif 000007
【図６】
2009264078.tif 000008
【図７】
2009264078.tif 000009